(57)【要約】【課題】取扱性を担保しつつ、清掃面への当接部位を任意に変更することによって、洗浄等のメンテナンスを行うことなく、簡便に清掃可能な清掃用具用清掃体、及びこれを具備する清掃用具を提供する。【解決手段】シート状の布帛の捲回体で構成されており、前記布帛により形成されかつ前記捲回体の一端から他端まで続く複数の被把持部を具備すること、を特徴とする清掃用具用清掃体。【選択図】図１
2020195726.tif 000002
【特許請求の範囲】
【請求項１】
シート状の布帛の捲回体で構成されており、前記布帛により形成されかつ前記捲回体の一端から他端まで続く複数の被把持部を具備すること、
を特徴とする清掃用具用清掃体。
【請求項２】
前記被把持部が、前記捲回体の長さ方向に略垂直な方向に延びていること、
を特徴とする請求項１に記載の清掃用具用清掃体。
【請求項３】
前記被把持部が、前記捲回体を長さ方向に縫製することにより形成されていること、
を特徴とする請求項１又は２に記載の清掃用具用清掃体。
【請求項４】
請求項１〜３のいずれかに記載の清掃用具用清掃体と、ハンドル体と、を具備し、
前記ハンドル体が、柄部と、前記柄部の一端に配設された把持部と、を具備し、
前記ハンドル体の前記把持部によって、前記清掃用具用清掃体の前記複数の被把持部の一部を把持可能に構成されること、
を特徴とする清掃用具。
【発明の詳細な説明】
【技術分野】
【０００１】
本発明は、清掃面への当接部位を任意に変更して清掃可能な清掃用具用清掃体、及びこの清掃用具用清掃体を具備する清掃用具に関する。
【背景技術】
【０００２】
室内や家具等の平滑な部分の清掃、更にはコンビニエンスストアや飲食店のトイレ等の汚れた箇所の清掃には、取扱性を考慮して構成されたハンディモップ等の小型清掃用具が広く用いられている。このような清掃用具の構造としては、被清掃面に直接接触させて清拭する清掃部材と、該清掃部材を保持する清掃部材保持具と、使用者が操作するためのグリップと、によって構成される場合が多い。
【０００３】
この種の清掃用具としては、清掃作業によって清掃部材が汚れると、清掃部材保持具か ら当該清掃部材を抜去し、洗浄して繰り返し使用するものや、当該清掃部材そのものを使い捨てて交換するものが提案されている。例えば、特許文献１（特開２０１６−０７７８３２号公報）には、「清掃基台に雑巾がはずれにくく、ずれない手段の抵抗帯と雑巾係合部を設け、柄が着脱可能な手段を持つ簡易な構造で、清掃が楽に出来る清掃道具」が開示されており、清掃する場所や清掃する人の背の高さ、腕力の違い等に関わらず、誰でも簡便に取扱うことが可能であるとされている。
【先行技術文献】
【特許文献】
【０００４】
【特許文献１】特開２０１６−０７７８３２号公報
【発明の概要】
【発明が解決しようとする課題】
【０００５】
しかしながら、飛び散っている尿等が多い汚れた箇所の清掃は、特に最近の学生等の若い潔癖症のアルバイトにとっては苦痛であり、場合によってはこれを理由とする退職も多いことから、雇用者乃至はオーナー自ら清掃をしなければならず悩みの種であるところ、このような社会問題を解決する意味からも、洗浄の必要が無く使用回数の多い使い捨ての清掃用具に対する需要が増していると言える。しかるに、特許文献１に開示された清掃道具は、清掃基台（把持体）と、雑巾（清掃体）の接続態様が１パターンしかなく、清掃によって雑巾が汚れた場合は清掃能力が著しく低下してしまい、即時に当該雑巾の洗浄を要する。清掃を行うために雑巾の頻繁な洗浄が必要になると、水入りバケツ等のその他の道具を要することになり、小型に構成することにより得られた取扱性を低下させる問題があった。
【０００６】
そこで、特許文献１に開示された清掃道具の構造に着目すると、清掃体（雑巾）の形状が略平滑であるため、清掃面に当接することができる部位はほぼ１面のみであった。よって、清掃体の１面が汚れた場合は、清掃体の洗浄又は清掃体の交換を要することは明らかであって、取扱性を担保しつつ簡便に清掃可能とするには未だ改善の余地があった。
【０００７】
そこで、本発明の目的は、上記問題に鑑みてなされたものであり、コンパクト性及び取扱性を担保しつつ、清掃面への当接部位を任意に変更することによって、洗浄等のメンテナンスを行うことなく、簡便に複数回清掃可能な清掃用具用清掃体、及びこれを具備する清掃用具を提供することにある。
【課題を解決するための手段】
【０００８】
上記の課題を解決すべく、本発明は、
シート状の布帛の捲回体で構成されており、前記布帛により形成されかつ前記捲回体の一端から他端まで続く複数の被把持部を具備すること、
を特徴とする清掃用具用清掃体を提供する。
【０００９】
このような構成を有する本発明の清掃用具用清掃体では、清掃による汚れが付着することによって清掃能力が低下した場合でも、任意に回転させることで清掃面（汚部）に当接させる部位を適宜変更し、清掃用具用清掃体の清掃能力を簡便に復帰させることができる。例えば、使用者が第一被把持部を把持して汚部の清掃を行う途中で、第二被把持部、第三被把持部、及び第二被把持部と第三被把持部の間の芯部が汚れてしまい、清掃用具用清掃体の清掃能力が低下した場合、清掃用具用清掃体を回転させて第二被把持部又は第三被把持部を使用者が把持することによって、汚部に当接する部位が変更されることになり、メンテナンスを行うことなく清掃用具用清掃体の清掃能力を簡便に復帰させることができる。
【００１０】
また、上記の本発明の清掃用具用清掃体においては、
前記被把持部が、前記捲回体の長さ方向に略垂直な方向に延びていることが望ましい。
また、前記被把持部が、前記捲回体を長さ方向に縫製することにより形成されていることが望ましい。
【００１１】
このような構成を有する本発明の清掃用具用清掃体では、布帛で被把持部及び芯部を一体的に構成し易く、被把持部も容易に把持することができる。
【００１２】
更に、本発明においては、
上記本発明の清掃用具用清掃体と、ハンドル体と、を具備し、
前記ハンドル体が、柄部と、前記柄部の一端に配設された把持部と、を具備し、
前記ハンドル体の前記把持部によって、前記清掃用具用清掃体の前記複数の被把持部の一部を把持可能に構成されること、
を特徴とする清掃用具を提供することができる。
【００１３】
このような構成を有する本発明の清掃用具では、清掃用具用清掃体とハンドル体とを別体にし、清掃用具用清掃体を着脱可能に構成することができる。第一被把持部を把持部に把持させて清掃用具を構成すると、第二被把持部、第三被把持部、及び第二被把持部と第三被把持部の間の芯部を汚部に当接して清掃することができ、第二被把持部を把持部に把持させて清掃用具を構成すると、第一被把持部、第三被把持部、及び第一被把持部と第三被把持部の間の芯部を汚部に当接して清掃することができ、第三被把持部を把持部に把持させて清掃用具を構成すると、第一被把持部、第二被把持部、及び第一被把持部と第二被把持部の間の芯部を汚部に当接して清掃することができる。
【００１４】
また、例えば把持部に第一被把持部を把持させて汚部の清掃を行う途中で、第二被把持部、第三被把持部、及び第二被把持部と第三被把持部の間の芯部が汚れてしまい、清掃用具用清掃体の清掃能力が低下した場合、清掃用具用清掃体を回転させて第二被把持部又は第三被把持部を把持部に把持させることによって、汚部に当接する部位を変更し、メンテナンスを行うことなく清掃用具用清掃体の清掃能力を簡便に復帰させることができる。
【発明の効果】
【００１５】
上記のような構成の本発明によれば、コンパクト性及び取扱性を担保しつつ、清掃面への当接部位を任意に変更することによって、洗浄等のメンテナンスを行うことなく、簡便に複数回清掃可能な清掃用具用清掃体、及びこれを具備する清掃用具を提供することができる。即ち、本発明の清掃用具用清掃体を用いれば、洗浄の必要が無く使用回数も多いため、飛び散っている尿等が多い汚れた箇所の清掃も、最近の学生等の若い潔癖症のアルバイトにとって苦痛ではなく、雇用者乃至はオーナー自ら清掃をしなければならないという事態を生じにくい。このように、本発明は一種の社会問題を解決するものである。
【図面の簡単な説明】
【００１６】
【図１】清掃用具用清掃体１の使用態様を示す斜視図である。
【図２】清掃用具用清掃体１の構造を示す斜視図である。
【図３】捲回体９を用いて清掃用具用清掃体１を形成する方法を示す図であって、図３（ａ）は、方向Ｙに見た捲回体９の側面図であり、図３（ｂ）は、方向Ｙに見た変形途中における捲回体９の側面図であり、図３（ｃ）は、方向Ｙに見た変形後における捲回体９の側面図である。
【図４】ハンドル体２１の構造を示す図であって、図４（ａ）は、ハンドル体２１の平面図であり、図４（ｂ）は、ハンドル体２１の一部を断面視した方向Ｙの側面図である。
【図５】ハンドル体２１の構造を示す図であって、図５（ａ）は、把持部２３を正面視したハンドル体２１の正面図であり、図５（ｂ）は、延長棒接続部２９を正面視したハンドル体２１の背面図である。
【図６】清掃用具１０１の使用方法を示す図であって、図６（ａ）は、把持部２３を開いて清掃用具用清掃体１を把持部２３に把持させる状況を示す模式図であり、図６（ｂ）は、把持部２３を閉じて清掃用具用清掃体１を把持部２３に把持させた状態を示す模式図である。
【発明を実施するための形態】
【００１７】
以下、本発明に係る清掃用具用清掃体、及びこれを具備した清掃用具の一実施形態について、図面を参照しつつ詳細に説明する。ただし、本発明はこれら図面に限定されるものではない。また、図面は、本発明を概念的に説明するためのものであるから、理解容易のために、必要に応じて寸法、比又は数を誇張又は簡略化して表している場合もある。
【００１８】
なお、本実施形態では、清掃用具用清掃体１の断面方向をＸ、長さ方向をＹ、高さ方向をＺとして説明の理解容易を図る。
【００１９】
１．清掃用具用清掃体１の概要
図１を用いて、清掃用具用清掃体１の概要について説明する。図１は、清掃用具用清掃体１の使用態様を示す斜視図である。図１に示すとおり、清掃用具用清掃体１は、方向Ｙに伸びる略長尺状を呈しており、後述するハンドル体２１で方向Ｘに把持することにより清掃用具１０１を構成するものである。
【００２０】
２．清掃用具用清掃体１の構造
次に、図２及び図３を用いて、清掃用具用清掃体１の構造について詳細に説明する。図２は、清掃用具用清掃体１の斜視図である。また、図３は、捲回体９を用いて清掃用具用清掃体１を形成する方法を示す図であって、図３（ａ）は、方向Ｙに見た捲回体９の側面図であり、図３（ｂ）は、方向Ｙに見た変形途中における捲回体９の側面図であり、図３（ｃ）は、方向Ｙに見た変形後における捲回体９の側面図である。
【００２１】
図２に示すとおり、清掃用具用清掃体１は、シート状の布帛の捲回体９で構成されており、布帛により形成されかつ捲回体９の一端から他端まで続く複数（本実施形態では３つ）の被把持部５を具備すること、被把持部５（第一被把持部５Ａ、第二被把持部５Ｂ、及び第三被把持部５Ｃ）が、捲回体９の長さ方向Ｙに略垂直な方向に延びていること、及び被把持部５が、捲回体９を方向Ｙに縫製することにより形成されていること、を特徴としている。
【００２２】
清掃用具用清掃体１の構造についてより具体的には、方向Ｘ及び方向Ｚに対して略中央に配置された芯部７と、この芯部７の側面に形成された第一被把持部５Ａと、第二被把持部５Ｂと、及び第三被把持部５Ｃと、を具備して構成されており、これら各被把持部５は、方向Ｙに対して略垂直かつ、芯部７の略中心に対して角度θの間隔で配置されている（特に図３（ｃ）参照）。なお、角度θは清掃用具用清掃体１の側面を方向Ｙに見た際、各被把持部５間が等間隔の弦長となるよう設定することが望ましい（本実施形態では１２０度としている。）。清掃用具用清掃体１が上記の構成であれば、布帛で各被把持部５及び芯部７を一体的に構成し易く、各被把持部５も容易に把持することができる。
【００２３】
３．清掃用具用清掃体１の使用方法
使用者は、上述した清掃用具用清掃体１の被把持部５のいずれかを把持することで清掃面（汚部）を清掃することができる。例えば、使用者が第一被把持部５Ａを把持した場合、第二被把持部５Ｂ、第三被把持部５Ｃ、及び第二被把持部５Ｂと第三被把持部５Ｃの間の芯部７が汚部に当接するが、第二被把持部５Ｂを把持すると第一被把持部５Ａ、第三被把持部５Ｃ、及び第一被把持部５Ａと第三被把持部５Ｃの間の芯部７が汚部に当接し、第三被把持部５Ｃを把持すると、第一被把持部５Ａ、第二被把持部５Ｂ、及び第一被把持部５Ａと第二被把持部５Ｂの間の芯部７が汚部に当接することになる。
【００２４】
清掃で自身に汚れが付着して清掃能力が低下した場合でも、任意に回転させることで汚部に当接させる部位を適宜変更し、清掃用具用清掃体１の清掃能力を簡便に復帰させることができる。例えば、使用者が第一被把持部５Ａを把持して汚部の清掃を行う途中で、第二被把持部５Ｂ、第三被把持部５Ｃ、及び第二被把持部５Ｂと第三被把持部５Ｃの間の芯部７が汚れてしまい、清掃用具用清掃体１の清掃能力が低下した場合、清掃用具用清掃体１を回転させて第二被把持部５Ｂ又は第三被把持部５Ｃを使用者が把持することによって、汚部に当接する部位が変更されることになり、メンテナンスを行うことなく清掃用具用清掃体１の清掃能力を簡便に復帰させることができる。
【００２５】
４．清掃用具用清掃体１の構成方法
このような清掃用具用清掃体１の具体的な構成方法としては、図３（ａ）に示すとおり、シート状の布帛を所定の間隔で巻いて捲回体９を形成し、図３（ｂ）に示すとおり、捲回体９から各被把持部５を形成する部位を摘み出しつつ全体を清掃用具用清掃体１の形状に近付け、図２及び図３（ｃ）に示すとおり、各被把持部５の付根近傍を方向Ｙの全域に亘って縫製（縫製部１１の形成）することで清掃用具用清掃体１を構成する。
【００２６】
なお、布帛には織布及び不織布を含めた幅広い生地を使用することができる。繊維製の布帛はもちろん、金属製の布帛も使用可能である。また、本実施形態では３つの被把持部５を具備した清掃用具用清掃体１を代表して説明しているが、更に多くを具備した構成としてもよく、上記のとおり被把持部５の数に応じて角度θを適宜決定すればよい。
【００２７】
５．清掃用具１０１の概要
図１を用いて、清掃用具１０１概要について説明する。図１に示すとおり、清掃用具１０１は、上述した清掃用具用清掃体１と、清掃用具用清掃体１を把持するハンドル体２１によって構成されたものであって、窓ガラス、床、及びテーブル等の平滑面を好適に清掃することができる用具である。
【００２８】
６．清掃用具１０１の構造
清掃用具１０１の構造についてより具体的には、上述した清掃用具用清掃体１と、ハンドル体２１と、を具備し、ハンドル体２１が、柄部２５と、柄部２５の一端に配設された把持部２３と、を具備し、ハンドル体２１の把持部２３によって、清掃用具用清掃体１の複数の被把持部５の一部を把持可能に構成されること、を特徴としている。
【００２９】
＜ハンドル体２１の構造＞
続いて、図４及び図５を用いてハンドル体２１の構造について詳細に説明する。図４は、ハンドル体２１の構造を示す図であって、図４（ａ）は、ハンドル体２１の平面図であり、図４（ｂ）は、ハンドル体２１の一部を断面視した方向Ｙの側面図である。また、図５は、ハンドル体２１の構造を示す図であって、図５（ａ）は、把持部２３を正面視したハンドル体２１の正面図であり、図５（ｂ）は、延長棒接続部２９を正面視したハンドル体２１の背面図である。
【００３０】
ハンドル体２１は、上述のとおり柄部２５と、柄部２５の一端に配設された把持部２３と、を具備する他、図４（ａ）及び（ｂ）と、図５（ａ）及び（ｂ）に示すとおり、把持部２３の開閉操作を行うための操作部２７と、柄部２５と操作部２７を軸運動可能に接続する軸体３３と、軸体３３に挿通されるスプリング３１と、柄部２５の他端に配設された延長棒接続部２９と、を具備して構成されている。
【００３１】
柄部２５は、方向Ｘに伸びる略円筒状の部品であって、一端に方向Ｙに伸びる下顎２３Ｂを具備し、他端に方向Ｘに開口する延長棒接続部２９を具備している。下顎２３Ｂは、後述する上顎２３Ａと対向することで把持部２３を構成する部位であり、柄部２５の一端は下顎２３Ｂの略中央近傍に接続されている。また、延長棒接続部２９は、別途用意した延長棒（図示せず）を差し込んで柄部２５を延長するための部位であって、清掃の利便性を向上することができる。なお、下顎２３Ｂの先端には、被把持部５をより確実に把持するための歯３５が配設されている。
【００３２】
操作部２７は、略扁平状の部品であって、一端に方向Ｙに伸びる上顎２３Ａを具備している。操作部２７は柄部２５と共に握って使用する部位であるため、方向Ｚの上方に連続する凸状の滑り止め部３７が形成されている。なお、上顎２３Ａの先端には、下顎２３Ｂと同様に被把持部５をより確実に把持するための歯３５が配設されている。
【００３３】
柄部２５と操作部２７は、双方の上顎２３Ａと下顎２３Ｂを対向させた状態で方向Ｚに重ね、軸体３３でスプリング３１と共に双方を接続している。本実施形態で使用するスプリング３１は、ダブルトーションバネ（２本足ひねりバネ）であり、一方の足を柄部２５に係止させ、他方の足を操作部２７に係止させることによって、軸体３３を軸にした柄部２５と操作部２７のポジションに強制力を与えている。
【００３４】
上記スプリング３１によって、通常時は柄部２５と操作部２７を離隔させる力が働き、上顎２３Ａと下顎２３Ｂが閉じた状態となる。これに対し、スプリング３１の力に逆らって柄部２５と操作部２７を接近させると、上顎２３Ａと下顎２３Ｂが開くことになる。本実施形態の清掃用具１０１は、このような柄部２５と操作部２７の軸運動と、スプリング３１の力と、によって清掃用具用清掃体１を把持する。
【００３５】
７．清掃用具１０１の使用方法
次に、図６を用いて清掃用具１０１の使用方法について詳細に説明する。図６は、清掃用具１０１の使用方法を示す図であって、図６（ａ）は、把持部２３を開いて清掃用具用清掃体１を把持部２３に把持させる状況を示す模式図であり、図６（ｂ）は、把持部２３を閉じて清掃用具用清掃体１を把持部２３に把持させた状態を示す模式図である。
【００３６】
図６（ａ）に示すとおり、まずハンドル体２１の柄部２５と操作部２７を方向Ｚに接近さることによって上顎２３Ａ及び下顎２３Ｂを動作させ、把持部２３を開ける。この時、把持部２３に把持させる被把持部５を選択し（図６では第一被把持部５Ａ）、選択した第一被把持部５Ａと把持部２３の開口の向きを合わせつつ、第一被把持部５Ａを把持部２３内に挿入する。なお、ハンドル体２１と清掃用具用清掃体１のバランスの観点から、被把持部５の方向Ｙの略中間近傍を把持部２３で把持することが望ましい。
【００３７】
上記手順を終えた後、図６（ｂ）に示すとおり、ハンドル体２１の柄部２５と操作部２７を方向Ｚに離隔させることによって上顎２３Ａ及び下顎２３Ｂを動作させ、把持部２３を閉じる。これにより、上顎２３Ａと下顎２３Ｂが第一被把持部５Ａを把持し、双方の歯３５が芯部７と第一被把持部５Ａの間に形成された凹部に係合し、清掃用具用清掃体１とハンドル体２１が一体になって清掃用具１０１が構成される。なお、清掃用具１０１の構成を解除して清掃具用清掃体１とハンドル体２１を分離する際は、上記手順を逆に実施することで行える。
【００３８】
上記手順で構成した清掃用具１０１は、使用者がハンドル体２１を握って清掃用具用清掃体１を汚部に当接し、繰り返し往復させることで清掃することができる。図６（ａ）及び（ｂ）に示す手順で構成した清掃用具１０１では、第二被把持部５Ｂ、第三被把持部５Ｃ、及び第二被把持部５Ｂと第三被把持部５Ｃの間の芯部７が汚部に当接して清掃することになるが、第二被把持部５Ｂを把持部２３に把持させて清掃用具１０１を構成すると、第一被把持部５Ａ、第三被把持部５Ｃ、及び第一被把持部５Ａと第三被把持部５Ｃの間の芯部７が汚部に当接し、第三被把持部５Ｃを把持部２３に把持させて清掃用具１０１を構成すると、第一被把持部５Ａ、第二被把持部５Ｂ、及び第一被把持部５Ａと第二被把持部５Ｂの間の芯部７が汚部に当接することになる。
【００３９】
即ち、使用者は任意に清掃用具用清掃体１を回転させ、汚部に当接させる部位を適宜変更することができる。例えば、把持部２３に第一被把持部５Ａを把持させて汚部の清掃を行う途中で、第二被把持部５Ｂ、第三被把持部５Ｃ、及び第二被把持部５Ｂと第三被把持部５Ｃの間の芯部７が汚れてしまい、清掃用具用清掃体１の清掃能力が低下した場合、清掃用具用清掃体１を回転させて第二被把持部５Ｂ又は第三被把持部５Ｃを把持部２３に把持させることによって、汚部に当接する部位が変更されることになり、メンテナンスを行うことなく清掃用具用清掃体１の清掃能力を簡便に復帰させることができる。
【００４０】
以上、本発明の実施形態について図面を参照しつつ説明してきたが、本発明は、これらの実施形態に限定されるものではなく、特許請求の範囲の記載の精神及び教示を逸脱しない範囲でその他の改良例や変形例が存在する。そして、かかる改良例や変形例は全て本発明の技術的範囲に含まれることは、当業者にとっては容易に理解されるところである。
【００４１】
例えば、上記したとおり、被把持部の数は３つに限られず、２又は４つ以上であってもよい。いずれの場合であっても、それぞれの被把持部を最大限に活用して効率良く使用に供するため、方向Ｙから見た場合に、それぞれの被把持部が等間隔に配置されているのが好ましい。また、上記実施形態においては、被把持部が方向Ｙにおいて一端から他端まで延びている態様としたが、厳密に一端から他端まで続いて延びていなくてもよく、例えば端部や途中部分に切欠部があってもよい。
【符号の説明】
【００４２】
１        清掃用具用清掃体
５        被把持部
５Ａ      第一被把持部
５Ｂ      第二被把持部
５Ｃ      第三被把持部
７        芯部
９        捲回体
１１      縫製部
２１      ハンドル体
２３      把持部
２３Ａ    上顎
２３Ｂ    下顎
２５      柄部
２７      操作部
２９      延長棒接続部
３１      スプリング
３３      軸体
３５      歯
３７      滑り止め部
１０１    清掃用具
θ        角度
【図１】
2020195726.tif 000003
【図２】
2020195726.tif 000004
【図３】
2020195726.tif 000005
【図４】
2020195726.tif 000006
【図５】
2020195726.tif 000007
【図６】
2020195726.tif 000008